【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
シートを処理する処理トレイと、前記処理トレイに排出されるシートの側端と当接してシートの位置を規制する規制部材と、を備えたシート処理装置において、
前記処理トレイに排出されたシートを挟持して搬送して前記規制部材の方向に搬送可能な、搬送上ローラと搬送下ローラとで構成された搬送ローラ対と、
前記搬送ローラ対と前記規制部材との間に設けられ、シートの上面に当接することでシートを搬送して前記規制部材に当接させるための搬送位置と、前記処理トレイの上方の上方位置との間で移動可能な規制ローラと、
前記処理トレイに排出される前のシートを一時的に待機させる待機部と、
前記待機部に一時的に待機させたシートと後続シートとを同時に前記処理トレイに排出する排出部と、
前記排出部により前記処理トレイに排出されるシートの合計枚数をカウントするカウンタと、を備え、
前記搬送ローラ対は、前記処理トレイに排出されたシートを前記規制部材に向けて挟持して搬送する際、シートを所定距離挟持搬送した後、該シートが前記規制部材に当接する前に前記搬送上ローラを該シートから離間させるものであって、
前記カウンタからの枚数情報に基づき、前記処理トレイに排出されるシートの合計枚数が所定枚数以下の場合、前記処理トレイに同時に排出されたシートを、前記搬送ローラ対と前記搬送位置に位置する前記規制ローラとにより前記規制部材に向けて所定距離搬送させた後、前記搬送上ローラを該シートから離間させて該シートを前記規制ローラにより搬送させることで前記規制部材に当接させ、
前記処理トレイに同時に排出されるシートの合計枚数が所定枚数を超える場合、前記処理トレイに同時に排出されたシートを、前記搬送ローラ対により前記規制部材に向けて挟持搬送させる際、前記規制ローラを前記上方位置に位置させた状態で該シートを所定距離挟持搬送させた後、前記搬送上ローラを該シートから離間させることを特徴とするシート処理装置。
【請求項２】
前記合計枚数が２枚の場合には、前記処理トレイに同時に排出されたシートを前記搬送ローラ対と前記規制ローラとにより前記規制部材に向けて所定距離搬送させ、シートを所定距離搬送させた後、前記搬送上ローラを該シートから離間させて該シートを前記規制ローラにより搬送させることで前記規制部材に当接させ、
前記合計枚数が３枚以上の場合には、前記処理トレイに同時に排出されたシートを、前記搬送ローラ対により前記規制部材に向けて挟持搬送させる際、前記規制ローラを前記上方位置に位置させ、該シートを所定距離挟持搬送させた後、前記搬送上ローラを該シートから離間させることを特徴とする請求項１記載のシート処理装置。
【請求項３】
前記合計枚数が３枚以上の場合には、シートが前記規制部材に当接してから、前記規制ローラを前記搬送位置に移動させることを特徴とする請求項２記載のシート処理装置。
【請求項４】
前記搬送ローラ対と前記規制ローラの周速は同じであることを特徴とする請求項１ないし３のいずれか１項に記載のシート処理装置。
【請求項５】
シートを処理する処理トレイと、前記処理トレイに排出されるシートの側端と当接してシートの位置を規制する規制部材と、を備えたシート処理装置において、
前記処理トレイに排出されたシートを挟持して搬送して前記規制部材の方向に搬送可能な、搬送上ローラと搬送下ローラとで構成された搬送ローラ対と、を備え、
前記搬送上ローラは、揺動することで前記搬送下ローラに対し圧接、離間可能に構成され、
前記搬送ローラ対は、前記処理トレイに排出されたシートを前記規制部材に向けて挟持して搬送する際、シートを所定距離挟持搬送した後、該シートが前記規制部材に当接する前に前記搬送上ローラを該シートから離間させるものであって、
前記処理トレイに排出されるシートの重さを示す情報に基づき、シートが所定の重さよりも軽いという情報である場合、前記搬送ローラ対によりシートを挟持搬送させる距離を、前記所定の重さよりも重いという情報であるシートを挟持搬送させる距離よりも短くすることを特徴とするシート処理装置。
【請求項６】
シートに画像を形成する画像形成部と、前記画像形成部により画像が形成されたシートを処理する請求項１ないし５のいずれか１項に記載のシート処理装置と、を備えたことを特徴とする画像形成装置。
【手続補正２】
【補正対象書類名】明細書
【補正対象項目名】００１５
【補正方法】変更
【補正の内容】
【００１５】
本発明は、シートを処理する処理トレイと、前記処理トレイに排出されるシートの側端と当接してシートの位置を規制する規制部材と、を備えたシート処理装置において、前記処理トレイに排出されたシートを挟持して搬送して前記規制部材の方向に搬送可能な、搬送上ローラと搬送下ローラとで構成された搬送ローラ対と、を備え、前記搬送上ローラは、揺動することで前記搬送下ローラに対し圧接、離間可能に構成され、前記搬送ローラ対は、前記処理トレイに排出されたシートを前記規制部材に向けて挟持して搬送する際、シートを所定距離挟持搬送した後、該シートが前記規制部材に当接する前に前記搬送上ローラを該シートから離間させるものであって、前記処理トレイに排出されるシートの重さを示す情報に基づき、シートが所定の重さよりも軽いという情報である場合、前記搬送ローラ対によりシートを挟持搬送させる距離を、前記所定の重さよりも重いという情報であるシートを挟持搬送させる距離よりも短くすることを特徴とするものである。
【手続補正３】
【補正対象書類名】明細書
【補正対象項目名】００１６
【補正方法】変更
【補正の内容】
【００１６】
また本発明は、シートを処理する処理トレイと、前記処理トレイに排出されるシートの側端と当接してシートの位置を規制する規制部材と、を備えたシート処理装置において、前記処理トレイに排出されたシートを挟持して搬送して前記規制部材の方向に搬送可能な、搬送上ローラと搬送下ローラとで構成された搬送ローラ対と、前記搬送ローラ対と前記規制部材との間に設けられ、シートの上面に当接することでシートを搬送して前記規制部材に当接させるための搬送位置と、前記処理トレイの上方の上方位置との間で移動可能な規制ローラと、前記処理トレイに排出される前のシートを一時的に待機させる待機部と、前記待機部に一時的に待機させたシートと後続シートとを同時に前記処理トレイに排出する排出部と、前記排出部により前記処理トレイに排出されるシートの合計枚数をカウントするカウンタと、を備え、前記搬送ローラ対は、前記処理トレイに排出されたシートを前記規制部材に向けて挟持して搬送する際、シートを所定距離挟持搬送した後、該シートが前記規制部材に当接する前に前記搬送上ローラを該シートから離間させるものであって、前記カウンタからの枚数情報に基づき、前記処理トレイに排出されるシートの合計枚数が所定枚数以下の場合、前記処理トレイに同時に排出されたシートを、前記搬送ローラ対と前記搬送位置に位置する前記規制ローラとにより前記規制部材に向けて所定距離搬送させた後、前記搬送上ローラを該シートから離間させて該シートを前記規制ローラにより搬送させることで前記規制部材に当接させ、前記処理トレイに同時に排出されるシートの合計枚数が所定枚数を超える場合、前記処理トレイに同時に排出されたシートを、前記搬送ローラ対により前記規制部材に向けて挟持搬送させる際、前記規制ローラを前記上方位置に位置させた状態で該シートを所定距離挟持搬送させた後、前記搬送上ローラを該シートから離間させることを特徴とするものである。